(57)【要約】      （修正有）【課題】天板に傘や杖のような扱い難い長尺携帯品、筆記具や印鑑等のような転がり易い柱状物品等を適切に仮置きできる天板を実現する。【解決手段】天板本体１１の使用端側にエッジ部材１２を取り付けるにあたり、エッジ部材１２を、前方突出位置に天板幅方向に沿って延びる軟質樹脂１３による樹脂ラインＬを有するものにし、同時に、この樹脂ラインＬの近傍における上面１１ａ側に天板幅方向に延び後方に向かって段落ちする段差部１４を形成することとした。【選択図】図２
2012019895.tif 000002
【特許請求の範囲】
【請求項１】
天板本体の使用端側にエッジ部材を取り付けてなるものであって、
前記エッジ部材が、前方突出位置に天板幅方向に沿って延びる軟質樹脂による樹脂ラインを有するとともに、この樹脂ラインの近傍における上面側に天板幅方向に延び後方に向かって段落ちする段差部を形成していることを特徴とする天板。
【請求項２】
軟質樹脂に、天板本体の上面に対してコントラストの高い配色が施してあり、樹脂ラインが天板の使用端の位置を視認させるアクセント領域を形成している請求項１記載の天板。
【請求項３】
段差部は、エッジ部材に形成されて前後方向の中央を溝底とする凹溝の前側の斜面に設定されている請求項１又は２記載の天板。
【請求項４】
段差部は、エッジ部材の後端面と天板本体の前端面とを突き合わせた部分が後方に段落ちした状態をなすことによって形成されている請求項１〜３記載の天板。
【請求項５】
樹脂ライン近傍の上面側に設けられる前記段差部に対して、樹脂ライン近傍の下面側に天板幅方向に延びる突条を有している請求項１〜４記載の天板。
【請求項６】
請求項１〜５記載の天板を家具本体に取り付けてなることを特徴とする天板付家具。
【発明の詳細な説明】
【技術分野】
【０００１】
本発明は、役所などの公共機関等に特に好適に利用可能な天板及びこれを利用した天板付家具に関するものである。
【背景技術】
【０００２】
従来より、テーブル等に用いられる天板には、ムク材から一体的に削り出したものや、化粧板を天板本体の上面から側端面にまで巻き回したものがある。これらは天板の使用領域とエッジ部分とが外観上一体的であるため、天板全体が単一色をなしているのが通例である。天板本体の周辺部に別体のエッジ部材を取着することによって構成される天板も、天板全体の意匠的な統一の観点からエッジ部材に天板本体の使用領域と同色系統のものが使用される傾向にあり、やはり天板全体は単一色ないし単調な色あいをなしている。
【０００３】
ところで、近年、視力が十分でない高齢者や車椅子利用者等が生活し易いように、様々な場所で生活環境の見直しが図られている。その一環として、特許文献１に示されるものは、天板と床の色あいが近似している場合に高齢者等にとって天板の使用領域のエンド部分が認識しづらく食器等を置き損じるという不都合に鑑みて、天板の使用領域を囲む位置に、その使用領域に対してコントラストの高い配色を施したアクセント領域を設け、天板本体の使用領域と床とが同じような色あいの関係にあっても、アクセント領域との色差によって、高齢者等にとって天板本体の使用領域のエンド部分を視認容易にして、物品を置き損じる不都合等を解消することができるようにしている。
【先行技術文献】
【特許文献】
【０００４】
【特許文献１】特開平１０−５７１５４号公報
【発明の概要】
【発明が解決しようとする課題】
【０００５】
ところで、普段の生活環境とは異なる役所等の公共機関で窓口や証明書の記載台を利用する場合を考えてみると、記載台では杖や傘の柄を天板に引っ掛けて仮置きすることが多いが、直ぐに柄が外れて杖や傘が落下する場面が頻繁に見受けられるところである。また、筆記具や印鑑なども天板から落下し易く、一旦落下すると拾うのが大変である上に紛失や損傷にもつながり易いという課題がある。
【０００６】
さらに、天板のエッジ部分に対する視認性の問題は上記特許文献１でも採り上げられているところであるが、上方のみにアクセント領域がある上記特許文献の構成では、遠くから記載台に近づくとき等に天板の位置を識別し難い場合がある。
【０００７】
さらにまた、これら以外の課題として、接客用の通常高さの天板等では、車椅子利用者が天板にアクセスするときに天板に近づく動作がし難いという課題があり、これも同時に解決することが望ましい。
【０００８】
本発明は、先ずもって、天板に傘や杖のような扱い難い長尺携帯品、筆記具や印鑑等のような転がり易い柱状物品を適切に仮置きできる天板を実現し、同時にその構造を利用して、天板エッジに対する視認性を一層高め、さらに車椅子利用者のアクセスの便も向上させた天板及び天板付家具を新たに提供することを目的としている。
【課題を解決するための手段】
【０００９】
本発明は、かかる目的を達成するために、次のような手段を講じたものである。
【００１０】
すなわち、本発明の天板は、天板本体の使用端側にエッジ部材を取り付けてなるものであって、前記エッジ部材が、前方突出位置に天板幅方向に沿って延びる軟質樹脂による樹脂ラインを有するとともに、この樹脂ラインの近傍における上面側に天板幅方向に延び後方に向かって段落ちする段差部を形成していることを特徴とする。使用端とは、天板のうち利用者に近い側の端をいう。
【００１１】
このように構成すれば、天板の前縁に杖や傘、アタッシュケース等が突き当たったときの衝撃を緩和し、体が触れたときの質感や接触感も良好となるだけでなく、段差部に杖や傘などの柄の先端を引っ掛けた場合に、柄の付け根あたりが樹脂ラインに接触して滑り止めが図られるので、杖や傘を安定的に保持して脱落を有効に防止することができる。勿論、段差部は、筆記具等が天板上の前縁側から落下することを防止する落下防止手段としても機能することとなる。
【００１２】
上記の構成を利用して、エッジ部分に対する視認性をより有効に高めるためには、軟質樹脂に、天板本体の上面に対してコントラストの高い配色を施し、樹脂ラインが天板の使用端の位置を視認させるアクセント領域を形成していることが望ましい。
【００１３】
上記段差部に関連づけて、筆記具や印鑑の安定的な仮置き場を有効に確保するためには、段差部は、エッジ部材に形成されて前後方向の中央を溝底とする凹溝の前側の斜面に設定されていることが好ましい。
【００１４】
あるいは、上記段差部に関連づけて、天板本体の上面にマット等を敷設し易くするためには、段差部は、エッジ部材の後端面と天板本体の前端面とを突き合わせた部分が後方に段落ちした状態をなすことによって形成されていることが好ましい。
【００１５】
車椅子利用者等の利便性を高めるためには、樹脂ライン近傍の上面側に設けられる前記段差部に対して、樹脂ライン近傍の下面側に天板幅方向に延びる突条を有していることが効果的である。
【００１６】
以上の天板を家具本体に取り付けて天板付家具を構成すれば、天板のみの変更だけで家具本体に特段の改良を施さずとも、高齢者や車椅子利用者等に親切な天板付家具を簡易に提供することが可能となる。
【発明の効果】
【００１７】
本発明は、以上説明した構成であるから、天板上に、傘や杖のような扱い難い長尺携帯品、筆記具や印鑑等のような転がり易い柱状物品を適切に仮置きすることができ、高齢者等に優しい使い勝手に優れた天板及び天板付家具を提供することができる。また、このような構成を利用すれば、天板のエッジ部分に対する視認性を簡単かつ従来よりも効果的に高めることができるものとなる。
【図面の簡単な説明】
【００１８】
【図１】本発明の一実施形態に係る天板付家具を示す斜視図。
【図２】同天板付家具の天板を前縁付近を中心に示す側面図。
【図３】同天板を構成するエッジ部材の作用説明図。
【図４】エッジ部材の変形例を示す図。
【図５】エッジ部材の他の変形例を示す図。
【図６】本発明の他の実施形態に係る天板付家具である受付用デスクを示す側面図。
【図７】同天板の前縁付近を示す側面図。
【発明を実施するための形態】
【００１９】
以下、本発明の一実施形態を、図面を参照して説明する。
【００２０】
この実施形態の天板付家具は、図１に示すように、左右の側板２、２の間に天板１を架設し、天板１の下方において側板２、２間の所要高さ位置に棚板３を配した木製のもので、役所等の公共機関に設置されて来訪者が立ったままで申請書の記載をするための記載台として利用されるものである。天板１の後縁下方には用紙を収納する収納ケース４が設けられ、天板１の後縁上方には用紙の記入例を掲示するパネル５が取り付けられている。パネル５の下縁５ａと収納ケース４の上方開口４ａとの間には用紙の出し入れ空間となる間隙δが設けられている。
【００２１】
天板１は、図２（ａ）、（ｂ）に示すように、天板本体１１の使用端に、小口を隠蔽するエッジ部材１２を接着その他の既知の手法によって取り付けたもので、天板本体１１及びエッジ部材１２の幅方向端部を塞ぐ位置には図１に示すようにカバー１０が取り付けられて、天板本体１１とエッジ部材１２との継目等が隠蔽されている。図２（ｂ）等はそのカバー１０を外して天板１を側方から見たものである。
【００２２】
エッジ部材１２は、例えば樹脂素材を押し出し成型してエッジ本体１２ｘを構成したもので、エッジ本体１２ｘは天板本体１１の上面１１ａを更に前方に延長させる上面１２ａを有し、その上面１２ａの前方に前端面１２ｂが垂下し、更にその前端面１２ｂの下方に後傾方向に延びる傾斜面１２ｃが続き、さらにその後方にエッジ部材１２の下面１２ｄを介して天板１１の下面１１ｂが繋がっている。傾斜面１２ｃは、斜め上方から見たときに天板１の厚みを見掛け上小さくするためのものである。
【００２３】
このような構成において、本実施形態は、前記エッジ部材１２の前方最突出位置となるエッジ本体１２ｘの前端面１２ｂに軟質樹脂１３を用いて図１に示すような天板幅方向に沿って延びる樹脂ラインＬを形成するとともに、この樹脂ラインＬの後方において天板幅方向に延び背面側に段落ちする段差部１４（１４ａ、１４ｂ）を形成している。
【００２４】
具体的に説明すると、軟質樹脂１３は、図２（ｂ）に示すように前記エッジ本体１２ｘの樹脂素材よりも干渉作用および摩擦係数の大きい軟質樹脂を用いた断面ほぼ矩形状をなす板状（或いは棒状）のもので、エッジ本体１２ｘの前端面１２ｂに接着等によって取り付けてある。勿論、断面を例えば半円状の膨出形状にするなど、形態は図示例に限定されるものではない。そして、本実施形態のエッジ部材１２は、エッジ本体１２ｘに天板本体１１の上面と同色ないし同色系統の単一色ないしモノトーン的な色合いを施しているのに対して、前記軟質樹脂１３には、天板本体１１の上面１１ａやエッジ本体１２ｘの色に対してコントラストの高い配色が施してある。すなわち、天板本体１１の上面１１ａやエッジ部材１２のエッジ本体１２ｘの色がホワイト系あるいはグレー系で統一されていれば、軟質樹脂１３にブラックやレッド、ブルー等の色調差のある配色を施すなどして、樹脂ラインＬに、天板１の前縁位置を視認させるアクセント領域の役割を付与している。この樹脂ラインＬは、前記軟質樹脂１３が天板１の前方最突出位置にあることから、図２（ｂ）に矢印Ｖ１で示す平面視においても矢印Ｖ２で示す正面視においても、或いは矢印Ｖ３で示す底面視においても、更にはそれらの中間角度においても視認することができる。床が天板本体１１やエッジ本体１２ｘと同色系統で統一されている場合にも、床との色差を利用して樹脂ラインＬの位置を明確にすることができる。
【００２５】
一方、段差部１４は、本実施形態においては２箇所に設定されている。先ず第１の段差部１４ａは、エッジ部材１２それ自体の上面１２ａに成型時に一体に形成された凹溝１２ｅを利用したもので、この凹溝１２ｅは前後方向の中央を溝底として部分円弧状に凹む断面を天板幅方向に連続させており、前記段差部１４ａはこの凹溝１２ｅのうち後方に向かって段落ちしている前側の斜面に設定されている。また、第２の段差部１４ｂは、エッジ本体１２ｘの後端面１２ｆに設定されたもので、この後端面１２ｆを天板本体１１の前端面１１ｃに突き合わせたときにエッジ本体１２ｘの上面１２ａが天板本体１１の上面１１ａよりもやや高位置にあるように設定して、エッジ本体１２ｘの後端面１２ｆが後方に段落ちした状態で前記第２の段差部１４ｂをなすようにしている。
【００２６】
このような樹脂ラインＬを設けた天板１においては、天板１の前縁に不慮に杖や傘、アタッシュケース等が突き当たっても、前方最突出位置に軟質樹脂１３が存することで衝撃を緩和し、体が触れたときの接触感、質感も良好となる上に、図３（ａ）、（ｂ）に示すように長尺で扱い難い杖や傘などの柄Ｃを段差部１４ａ、１４ｂに引っ掛けて仮置きした場合に、これらの段差部１４ａ、１４ｂにおける引っ掛かりと相俟って、柄Ｃの付け根あたりが樹脂ラインＬを構成する軟質樹脂１３に接触して滑り止めが図られるので、杖や傘が２点で安定支持されることになり、天板１上から滑落することを有効に防止することができる。また、筆記具や印鑑等の転がり易い柱状物品Ｄは、例えば図３（ｂ）、（ｃ）に示すように前記第１の段差部１４ａや第２の段差部１４ｂで前方への滑落が防止されるほか、同図（ｃ）に示すように第１の段差部１４ａを構成する凹溝１２ｅの溝底に仮置きすれば位置決めもできるため、柱状物品Ｄを天板１上の定位置に安定保持して申請作業等の効率を有効に向上させることができる。
【００２７】
なお、図３に示すものは、第２の段差部１４ｂの後方の段落ちした部分が天板本体１１の上面１１ａに連なり、段差部１４ｂの前方であるエッジ部材１２の上面１２ａは天板本体１１の上面１１ａよりも高位置にあるため、天板本体１１の上面１１ａに同図（ｃ）に示すようにマットＭを敷いた場合には、第２の段差部１４ｂをマットＭのずれ止め手段として機能させることができる。勿論、マットＭを配置した状態でもなお、エッジ部材１２の上面１２ａとマットＭの上面ｍとの間に段差が表出している状態にすれば、杖等の柄を引っ掛ける引っ掛け部としての機能を引き続き担保することができる。
【００２８】
加えて、本実施形態は、軟質樹脂１３への配色を通じて天板本体１１の上面１１ａ等に対するアクセントとなる樹脂ラインＬを天板幅方向に沿って構成しているため、視力の低下した者にも天板１のエッジ部分を明確に視認することができる。特に、樹脂ラインＬがエッジ部材１２の前方最突出位置にあることで、図２（ｂ）に示したように天板１を上から見たときにも正面から見たときにも斜めから見たときにも、近くで見たときにも遠くから見たときにも、エッジ部分に対する視認性が高められ、視力の衰えた者等にとっても記載場所が探し易く、天板１へのアプローチも容易となり、天板１上での作業時にエッジ位置を見誤って物品を置き損じる不具合等も低減して、自治体等に設置した場合に高齢者を始め様々な来訪者に優しい什器として利用に供することが可能となる。
【００２９】
そして、天板１それ自体にこのような作り込みがしてあることで、家具本体に特段の改良を施さずとも、高齢者や車椅子利用者等に親切な什器を簡易に構成することができるようになる。ここに言う家具本体とは、天板付家具における天板以外の部位、たとえば天板を支持する構造体の部分をいう。
【００３０】
なお、各部の具体的な構成は、上述した実施形態のみに限定されるものではない。
【００３１】
例えば、上記実施形態では、エッジ部材１２それ自体に段差部１４ａを形成し、かつエッジ部材１２の後端面１２ｆと天板本体１１の前端面１１ｃとの間にも段差部１４ｂを形成したが、例えば図４（ａ）に示すようにエッジ部材１２それ自体に段差部１４ａを形成するだけのものや、同図（ｂ）に示すようにエッジ部材１２の後端面１２ｆと天板本体１１の前端面１１ｃとの間に段差部１４ｂを形成だけのものであってもよい。また、図４（ａ）に例示するように、エッジ部材１２それ自体に形成する段差部１４ａは上記実施形態のように凹溝状であるものに限られず、単に後方に段落ちしているだけのものも含まれる。エッジ部材１２の形状も、エッジ本体１２ｘの最突出位置に軟質樹脂１３による樹脂ラインＬを形成することができれば、図４（ａ）、（ｂ）等に示すようにエッジ本体１２ｘを上面側が緩やかに前傾した形態にするなど、種々のデザインを施すことができる。
【００３２】
エッジ部材１２の取付構造も、図４（ｃ）に示すように天板本体１１の前端側に溝１１ｐを形成してエッジ本体１２ｘの後端側に形成した突条１２ｐを嵌め込むような凹凸構造を採用してもよく、さらに同図（ｄ）に示すように軟質樹脂１３もエッジ本体１１に対して凹凸構造の下に嵌め込むように取り付けることも有効である。
【００３３】
軟質樹脂１３の位置も、図５に示すように、エッジ部材１２の突出位置であれば例えばエッジ本体１２ｘの前端近傍に形成した上向面に配置する態様などもとり得る。図示例における段差部は図４（ａ）に示す第１の段差部１４ａと図４（ｂ）に示す第２の段差部１４ｂとを組み合わせたものである。上記軟質樹脂１３の位置では、下方からの視認性は低下するが、少なくとも通常の利用形態において必要な上方及び前方からの視認性は確保できるし、また、少なくともエッジ部材１２の前端近傍の上向面に軟質樹脂１３が存すれば、図３に示したように杖や傘の柄Ｃを段差部に引っ掛けた際に柄Ｃの付け根が軟質樹脂１３に適切に接触して落下防止が図られる上に、樹脂部材１３の下がエッジ本体１２ｘにバックアップされて剥がれ難くなる効果や、樹脂部材１３の材料を抑える効果等が奏されることになる。「エッジ部材の突出位置」には、最突出位置を必ずしも含まない態様も包含される。また、上向面は図示例では上方に緩やかに湾曲しているが、斜面であっても構わない。
【００３４】
また、同図に示すように、エッジ本体１２ｘの前端の上向面に凹み１２ｙを設けてその中に軟質樹脂１３を収容することでエッジ本体１２ｘの空間を仕切る稜線の延長線上に軟質樹脂１３の空間を仕切る稜線が位置するように構成することも有効である。このように構成すると、視認性の向上や落下防止の効果に加えて、樹脂部材１３が邪魔にならず、また剥がれ難くなり、天板の外観もより有効に整えられる効果が奏される。
【００３５】
さらにまた、本発明の天板付家具は、記載台以外にも、図６に示すような受付用カウンター等に適用することもできる。この受付用カウンターとして用いられる天板付家具は、接客等を行うために天板１０１の下肢空間を幕板１０６で仕切り、図中矢印Ａ、Ｂで示す方向から対面して着座可能としたものであり、特に来訪者が着座する側の天板１０１の前縁には、前記実施形態と同様に前方最突出位置に軟質樹脂１１３を有するエッジ部材１１２が取り付けてあり、この軟質樹脂１１３により天板幅方向に沿って樹脂ラインＬが形成してある。また、この樹脂ラインＬの近傍に、天板幅方向に延び後方に向かって段落ちする段差部１１４が形成されている点も前記実施形態と同様である。軟質樹脂１１３の配色にも前記実施形態に準じて天板１０１の上面１１１ａに対する色差を有するものが選択してある。
【００３６】
そして、この天板１０１には更に、図７に拡大して示すように、樹脂ラインＬの近傍の上面側に設けられる前記段差部１１４に対して、樹脂ラインＬの近傍の下面側に天板幅方向に延びる突条２００が、天板１０１の下面１１１ｂよりも下方に突出した状態で設けてある。このように、樹脂ラインＬを挟んで上下に段差部１１４と突条２００が存することで、車椅子利用者がデスクにアクセスする際に樹脂ラインＬを目安にして近づき、段差部１１４や突条２００等に指を掛けたり掴んだりして天板１０１を引き寄せることで天板１０１へのアプローチの便を有効に向上させることができる。勿論、段差部１１４と軟質樹脂１１３との相乗作用によって杖や傘の柄などを適切に引っ掛けておくことができる機能や、筆記具や印鑑等の柱状物の落下を段差部１１４において防止できる機能があること等は前記実施形態と同様である。
【００３７】
以上、本発明の一実施形態を、役所等の家具に適用した例として説明したが、各部の具体的な構成や適用対象は上記実施形態に限定されるものではなく、本発明の趣旨を逸脱しない範囲で種々変形が可能である。
【符号の説明】
【００３８】
１１…天板本体
１１ａ…上面
１１ｃ…前端面
１２…エッジ部材
１２ａ…上面
１３…軟質樹脂
１４、１４ａ、１４ｂ…段差部
２００…突条
Ｌ…樹脂ライン
【図１】
2012019895.tif 000003
【図２】
2012019895.tif 000004
【図３】
2012019895.tif 000005
【図４】
2012019895.tif 000006
【図５】
2012019895.tif 000007
【図６】
2012019895.tif 000008
【図７】
2012019895.tif 000009